(57)【要約】【課題】比較的小型の消防用ホース結合金具において、雌金具や雄金具に比較的大きな曲げモーメントが作用しても、その後の雄金具に対する雌金具の着脱を行うことが可能な消防用ホース結合金具を提供する。【解決手段】消防用ホース結合金具１の雌金具２は、受け金具５と締め輪６とツメ座７と結合ツメ８とを備えている。受け金具５は、シール部材１１が配置されるシール配置部５ｃと、雌金具２の先端側へのシール部材１１の抜けを防止する抜け防止部５ｄとを備えている。この消防用ホース結合金具１では、雌金具２と雄金具３とが結合されるとともに、雄金具３の先端部１７ｃが結合ツメ８に接触している状態で、雄金具３に曲げモーメントＭ１が作用したときに、雄金具３の先端部１７ｃは、結合ツメ８に接触している雄金具３の先端部１７ｃの影響で結合ツメ８が塑性変形する前に抜け防止部５ｄの内周面５ｅに接触する。【選択図】図４
2013092172.tif 000002
【特許請求の範囲】
【請求項１】
雌金具と雄金具とを備える差込式の消防用ホース結合金具において、
前記雌金具は、消防用ホースに接続可能な受け金具と、略円筒状の筒部を有し前記受け金具に取り付けられる締め輪と、前記締め輪の前記筒部の内周側に取り付けられるツメ座と、前記ツメ座の内周面から前記ツメ座の径方向の内側へ突出して前記雄金具に係合するとともに前記ツメ座の径方向へ移動可能な結合ツメとを備え、
前記受け金具は、前記雌金具と前記雄金具との結合時の水漏れを防止するシール部材が配置される略円筒状のシール配置部と、前記シール配置部の内径よりも内径の小さな略円筒状に形成され前記雌金具の先端側への前記シール部材の抜けを防止する抜け防止部とを備え、
前記抜け防止部は、前記雌金具の先端側から見たときに前記結合ツメの奥側に配置され、
前記雄金具と前記結合ツメとが係合して前記雌金具と前記雄金具とが結合されるとともに、前記雌金具の中に配置される前記雄金具の先端部が前記結合ツメに接触している状態で、前記雌金具および／または前記雄金具に曲げモーメントが作用したときに、前記雄金具の先端部は、前記結合ツメに接触している前記雄金具の先端部の影響で前記結合ツメが塑性変形する前に前記抜け防止部の内周面に接触することを特徴とする消防用ホース結合金具。
【請求項２】
前記抜け防止部の内周面は、内径が略一定な円筒面状に形成されていることを特徴とする請求項１記載の消防用ホース結合金具。
【請求項３】
前記シール部材は、円環状に形成されたＵパッキンであり、
前記雌金具と前記雄金具とが結合されている状態で、前記雌金具および／または前記雄金具に曲げモーメントが作用して、前記雄金具の先端部が前記抜け防止部の内周面に接触しているときに、前記Ｕパッキンの内周面は、全周に亘って、前記雄金具の先端部の外周面に接触していることを特徴とする請求項１または２記載の消防用ホース結合金具。
【発明の詳細な説明】
【技術分野】
【０００１】
本発明は、複数の消防用ホース同士を連結したり、消防用ホースと消火栓弁とを連結するための差込式の消防用ホース結合金具に関する。
【背景技術】
【０００２】
従来、複数の消防用ホース同士を連結する消防用ホース結合金具として、消防用ホースの端部に接続される雌金具と、消防用ホースの端部に接続されるとともに雌金具が着脱自在に差し込まれる雄金具とから構成される差込式の消防用ホース結合金具が知られている（たとえば、特許文献１参照）。
【０００３】
特許文献１に記載の消防用ホース結合金具は、図７に示す消防用ホース結合金具１０１のように、雌金具１０２と、雄金具１０３とから構成されている。雌金具１０２は、消防用ホースＨに接続可能な受け金具１０５と、受け金具１０５の先端側に取り付けられる締め輪１０６と、締め輪１０６の内周側に配置されるツメ座１０７と、ツメ座１０７の内周面から径方向の内側へ突出して雄金具１０３に係合する結合ツメ１０８とを備えている。結合ツメ１０８は、ツメ座１０７の径方向へ移動可能となっており、付勢部材１０９によって、ツメ座１０７の径方向の内側へ付勢されている。
【０００４】
受け金具１０５の先端側には、Ｕパッキン１１１を配置するためのシール配置部１０５ｃと、シール配置部１０５ｃに配置されたＵパッキン１１１の抜けを防止する抜け防止部１０５ｄとが形成されている。抜け防止部１０５ｄは、雌金具１０２の先端側から見たときに結合ツメ１０８の奥側に配置されている。締め輪１０６の外周面には、保護用のゴムタイヤ１１２が嵌め込まれている。また、雄金具１０３は、消防用ホースＨに接続可能な差し金具１１７と、差し金具１１７の外周側にスライド自在に取り付けられた押し輪１１８とを備えている。
【先行技術文献】
【特許文献】
【０００５】
【特許文献１】特開２００５−１４７３７０号公報
【発明の概要】
【発明が解決しようとする課題】
【０００６】
消防用ホース結合金具には、大型の金具から小型の金具まで様々なサイズがある。また、雌金具と雄金具とが結合されて使用されるときには、雌金具や雄金具に曲げモーメントが作用する場合がある。ここで、雌金具と雄金具とが結合されて使用されるときに、雌金具や雄金具に大きな曲げモーメントが作用すると、大型の消防用ホース結合金具の場合には、その後の雄金具に対する雌金具の着脱に支障は生じないが、小型の消防用ホース結合金具の場合には、その後の雄金具に対する雌金具の着脱に支障が生じることが本願発明者の検討によって明らかになった。また、本願発明者の検討によって、以下の原因で、かかる問題が発生することが明らかになった。
【０００７】
すなわち、図７に示すように、雌金具１０２と雄金具１０３とが結合されて使用されるときに、たとえば、雄金具１０３に大きな曲げモーメントＭ１０が作用すると、図８のＱ部に示すように、差し金具１１７の先端部と結合ツメ１０８とが干渉（接触）する。大型の消防用ホース結合金具１０１の場合には、結合ツメ１０８の大きさが大きくて、その強度を確保しやすいため、差し金具１１７の先端部と結合ツメ１０８とが接触しても結合ツメ１０８が変形しにくい。一方、小型の消防用ホース結合金具１０１の場合には、結合ツメ１０８の大きさが小さくなり、その強度が確保しにくいため、差し金具１１７の先端部と結合ツメ１０８とが接触すると、結合ツメ１０８が変形しやすくなる。結合ツメ１０８が変形すると、雄金具１０３に対する雌金具１０２の着脱時にツメ座１０７の径方向へ結合ツメ１０８が円滑に動かなくなって、あるいは、全く動かなくなって、差し金具１１７の先端部が結合ツメ１０８に引っ掛かり、雄金具１０３の着脱に支障が生じる。
【０００８】
そこで、本形態の課題は、比較的小型の消防用ホース結合金具において、雌金具や雄金具に比較的大きな曲げモーメントが作用しても、その後の雄金具に対する雌金具の着脱を行うことが可能な消防用ホース結合金具を提供することにある。
【課題を解決するための手段】
【０００９】
上記の課題を解決するため、本発明の消防用ホース結合金具は、雌金具と雄金具とを備える差込式の消防用ホース結合金具において、雌金具は、消防用ホースに接続可能な受け金具と、略円筒状の筒部を有し受け金具に取り付けられる締め輪と、締め輪の筒部の内周側に取り付けられるツメ座と、ツメ座の内周面からツメ座の径方向の内側へ突出して雄金具に係合するとともにツメ座の径方向へ移動可能な結合ツメとを備え、受け金具は、雌金具と雄金具との結合時の水漏れを防止するシール部材が配置される略円筒状のシール配置部と、シール配置部の内径よりも内径の小さな略円筒状に形成され雌金具の先端側へのシール部材の抜けを防止する抜け防止部とを備え、抜け防止部は、雌金具の先端側から見たときに結合ツメの奥側に配置され、雄金具と結合ツメとが係合して雌金具と雄金具とが結合されるとともに、雌金具の中に配置される雄金具の先端部が結合ツメに接触している状態で、雌金具および／または雄金具に曲げモーメントが作用したときに、雄金具の先端部は、結合ツメに接触している雄金具の先端部の影響で結合ツメが塑性変形する前に抜け防止部の内周面に接触することを特徴とする。
【００１０】
本発明の消防用ホース結合金具では、雄金具と結合ツメとが係合して雌金具と雄金具とが結合されるとともに、雌金具の中に配置される雄金具の先端部が結合ツメに接触している状態で、雌金具および／または雄金具に曲げモーメントが作用したときに、雄金具の先端部は、結合ツメに接触している雄金具の先端部の影響で結合ツメが塑性変形する前に抜け防止部の内周面に接触する。すなわち、本発明では、結合状態の雌金具や雄金具に曲げモーメントが作用したときに、結合ツメが最も塑性変形しやすい状態である雄金具の先端部が結合ツメに接触している状態であっても、雌金具や雄金具に曲げモーメントが作用したときに、雄金具の先端部は、結合ツメに接触している雄金具の先端部の影響で結合ツメが塑性変形する前に抜け防止部の内周面に接触する。そのため、結合ツメの強度が確保しにくい小型の消防用ホース結合金具であっても、雌金具や雄金具に作用する比較的大きな曲げモーメントを抜け防止部の内周面で受けて、結合ツメの塑性変形を防止することができる。したがって、比較的小型の消防用ホース結合金具において、雌金具や雄金具に比較的大きな曲げモーメントが作用しても、ツメ座の径方向への結合ツメの移動に支障が生じるのを防止することが可能になる。その結果、本発明では、比較的小型の消防用ホース結合金具において、雌金具や雄金具に比較的大きな曲げモーメントが作用しても、その後の雄金具に対する雌金具の着脱を行うことが可能になる。
【００１１】
本発明において、抜け防止部の内周面は、内径が略一定な円筒面状に形成されていることが好ましい。このように構成すると、雌金具や雄金具に作用する比較的大きな曲げモーメントを、抜け防止部の内周面の比較的広い領域で安定して受けることが可能になる。
【００１２】
本発明において、シール部材は、円環状に形成されたＵパッキンであり、雌金具と雄金具とが結合されている状態で、雌金具および／または雄金具に曲げモーメントが作用して、雄金具の先端部が抜け防止部の内周面に接触しているときに、Ｕパッキンの内周面は、全周に亘って、雄金具の先端部の外周面に接触していることが好ましい。このように構成すると、雌金具や雄金具に比較的大きな曲げモーメントが作用しているときであっても、Ｕパッキンによって、消防用ホース結合金具での水漏れを防止することが可能になる。
【発明の効果】
【００１３】
以上のように、本発明では、比較的小型の消防用ホース結合金具において、雌金具や雄金具に比較的大きな曲げモーメントが作用しても、その後の雄金具に対する雌金具の着脱を行うことが可能になる。
【図面の簡単な説明】
【００１４】
【図１】本発明の実施の形態にかかる消防用ホース結合金具の、雌金具と雄金具とが分離された状態の正面図である。
【図２】図１に示す消防用ホース結合金具の、雌金具と雄金具とが結合された状態の縦断面図である。
【図３】受け金具およびゴムタイヤを取り外した状態の雌金具を図１のＥ−Ｅ方向から示す図である。
【図４】図２に示す雌金具と結合された状態の雄金具に曲げモーメントが作用したときの消防用ホース結合金具の状態を示す縦断面図である。
【図５】図４のＦ部の拡大図である。
【図６】図４のＧ部の拡大図である。
【図７】従来技術にかかる消防用ホース結合金具の雄金具に曲げモーメントが作用したときの状態を示す縦断面図である。
【図８】図７のＰ部の拡大図である。
【発明を実施するための形態】
【００１５】
以下、図面を参照しながら、本発明の実施の形態を説明する。
【００１６】
（消防用ホース結合金具の構成）
図１は、本発明の実施の形態にかかる消防用ホース結合金具１の、雌金具２と雄金具３とが分離された状態の正面図である。図２は、図１に示す消防用ホース結合金具１の、雌金具２と雄金具３とが結合された状態の縦断面図である。図３は、受け金具５およびゴムタイヤ１２を取り外した状態の雌金具２を図１のＥ−Ｅ方向から示す図である。
【００１７】
本形態の消防用ホース結合金具１（以下、「結合金具１」とする。）は、複数の消防用ホース同士を連結したり、消防用ホースと消火栓弁とを連結するための差込式の結合金具である。また、本形態の結合金具１は、小型の結合金具であり、たとえば、平成４年自治省令第２号「消防用ホースに使用する差込式の結合金具の技術上の規格を定める省令」において規定される呼称２５の結合金具である。
【００１８】
結合金具１は、図１に示すように、消防用ホースＨの端部等に接続される雌金具２と、消防用ホースＨの端部等に接続されるとともに、雌金具２が着脱自在に差し込まれる雄金具３とから構成されている。本形態では、分離状態の雌金具２が図１等のＸ２方向へ差し込まれて雌金具２と雄金具３とが結合され、結合状態の雌金具２がＸ１方向へ抜き取られて雌金具２と雄金具３とが分離される。
【００１９】
雌金具２は、消防用ホースＨに接続可能な受け金具５と、略円筒状の筒部６ａを有し受け金具５の先端側（図１の左端側）に着脱可能に取り付けられる締め輪６と、締め輪６の筒部６ａの内周側に取り付けられるツメ座７と、ツメ座７の内周面から径方向の内側へ突出して雄金具３に係合する３個の結合ツメ８と、結合ツメ８を径方向の内側へ付勢する付勢部材９とを備えている。なお、以下の雌金具２の説明では、Ｘ２方向側を「先端」側、Ｘ１方向側を「基端」側とする。
【００２０】
受け金具５は、消防用ホースＨに差し込まれる略円筒状のホース接続部５ａと、ホース接続部５ａに連なる略円筒状の受け口部５ｂとから構成されている。受け口部５ｂは、受け金具５の先端側に形成されている。また、受け口部５ｂの外径、内径のそれぞれは、ホース接続部５ａの外径、内径よりも大きくなっている。
【００２１】
受け口部５ｂは、雌金具２と雄金具３との結合時の水漏れを防止するシール部材としてのＵパッキン１１が配置される略円筒状のシール配置部５ｃと、先端側へのＵパッキン１１の抜けを防止する抜け防止部５ｄとを備えている。シール配置部５ｃは、受け口部５ｂの基端部を構成している。抜け防止部５ｄは、シール配置部５ｃの内径よりも内径の小さな略円筒状に形成されており、受け口部５ｂの先端部を構成している。抜け防止部５ｄの内径は、略一定になっている。すなわち、抜け防止部５ｄの内周面５ｅは、円筒面状に形成されている。受け口部５ｂの外周面の先端側には、締め輪６を取り付けるためのオネジが形成されている。
【００２２】
締め輪６は、上述の筒部６ａと、円環状かつ平板状に形成され筒部６ａに連なる円環部６ｂとから構成されている。筒部６ａは締め輪６の基端側に配置され、円環部６ｂは締め輪６の先端側に配置されている。筒部６ａの内周面の基端側には、受け口部５ｂのオネジに螺合するメネジが形成されている。筒部６ａの外周面には、保護用のゴムタイヤ１２が嵌め込まれている。円環部６ｂの内径は、筒部６ａの内径よりも小さくなっている。
【００２３】
ツメ座７は、鍔付の略円筒状に形成されており、円環状かつ平板状に形成された円環部７ａと、結合ツメ８に係合して径方向内側への結合ツメ８の突出量を規制する３個の係止部７ｂとから構成されている。円環部７ａは、ツメ座７の先端側に配置されている。係止部７ｂは、図３に示すように、円環部７ａの内周端から基端側に向かって突出するように形成されている。３個の係止部７ｂは、雌金具２の先端側から見たときに、その曲率中心が円環部７ａの曲率中心と一致する略円弧状に形成されている。また、３個の係止部７ｂは、円周方向に所定の間隔をあけた状態で等角度間隔に形成されており、係止部７ｂ間は、径方向内側へ突出する結合ツメ８が嵌め込まれる切欠部７ｃとなっている。円周方向における係止部７ｂの端部は、結合ツメ８に係合して径方向内側への結合ツメ８の突出量を規制する規制面７ｄとなっている。
【００２４】
結合ツメ８は、略円弧状に形成されたブロック部材である。この結合ツメ８は、切欠部７ｃから径方向内側へ突出する突出部８ａと、規制面７ｄに当接して径方向内側への結合ツメ８の突出量を規制する規制部８ｂとから構成されている。突出部８ａの内周面は、先端側から基端側に向かうにしたがって径方向内側に向かって膨らむ凸曲面状に形成されている。
【００２５】
図３に示すように、ツメ座７の切欠部７ｃに結合ツメ８の突出部８ａが嵌め込まれた状態で、ツメ座７は、締め輪６の筒部６ａの内周側に嵌め込まれている。また、締め輪６の円環部６ｂの基端側の面と、ツメ座７の円環部７ａの先端側の面とが当接するように、ツメ座７は、筒部６ａの内周側に嵌め込まれている。ツメ座７が嵌め込まれた締め輪６は、受け口部５ｂの先端側に取り付けられており、ツメ座７は、雌金具２の軸方向において、抜け防止部５ｄと円環部６ｂとに挟まれた状態で、締め輪６の内部に収納されている。すなわち、雌金具２の先端側から見たときに、抜け防止部５ｄは、ツメ座７および結合ツメ８の奥側に配置され、円環部６ｂは、ツメ座７および結合ツメ８の手前側に配置されている。
【００２６】
ツメ座７の円環部７ａの基端側の面と、抜け防止部５ｄの先端側の端面との距離Ｌ１（図２参照）は、雌金具２の軸方向における結合ツメ８の幅（図２の左右方向の幅）よりもわずかに大きくなっている。たとえば、距離Ｌ１は、雌金具２の軸方向における結合ツメ８の幅よりも０．１ｍｍ〜０．３ｍｍ程度大きくなっている。そのため、円環部７ａの基端側の面と結合ツメ８の先端側の端面との間、および／または、結合ツメ８の基端側の端面（基端面）８ｃと抜け防止部５ｄの先端側の端面との間には、わずかな隙間が形成されており、結合ツメ８は、ツメ座７の径方向へ移動可能になっている。
【００２７】
付勢部材９は、たとえば、２枚の板バネによって構成されており、結合ツメ８の円周方向における規制部８ｂの略中心に固定されている。この付勢部材９は、締め輪６の筒部６ａの内周面と結合ツメ８の規制部８ｂの外周面との間に配置されており、径方向内側に向かって結合ツメ８を付勢している。付勢部材９によって付勢された結合ツメ８の内周端は、結合ツメ８に外力が作用していないときには、抜け防止部５ｄの内周面５ｅよりも径方向の内側へ突出している。
【００２８】
雄金具３は、消防用ホースＨに接続可能な差し金具１７と、差し金具１７の外周側にスライド自在に取り付けられた押し輪１８とを備えている。なお、以下の雄金具３の説明では、Ｘ１方向側を「先端」側、Ｘ２方向側を「基端」側とする。
【００２９】
差し金具１７は、消防用ホースＨに差し込まれる略円筒状のホース接続部１７ａと、押し輪１８が外周側でスライドする円筒状のスライド部１７ｂと、結合ツメ８に係合する円筒状の係合突部１７ｃとから構成されている。スライド部１７ｂは、ホース接続部１７ａの先端側に連なるように形成されている。係合突部１７ｃは、スライド部１７ｂに連なるように、かつ、差し金具１７の先端側に形成されている。係合突部１７ｃの外径は、スライド部１７ｂの外径よりも大きく、かつ、受け金具５の抜け防止部５ｄの内径よりも小さくなっている。スライド部１７ｂの外周面および係合突部１７ｃの外周面は、雄金具３の軸方向と略平行になっている。スライド部１７ｂと係合突部１７ｃの境界には、係合突部１７ｃの基端側の端面（基端面）１７ｄが形成されている。本形態の係合突部１７ｃは、雄金具３の先端部である。
【００３０】
雄金具３の軸方向における係合突部１７ｃの幅は、雌金具２の軸方向におけるシール配置部５ｃおよび抜け防止部５ｄの幅Ｌ２（図２参照）よりも小さくなっている。そのため、係合突部１７ｃが結合ツメ８に係合している状態でも、雄金具３は、雌金具２に対してその軸方向へわずかに移動可能となっている。
【００３１】
押し輪１８は、径方向外側に広がる鍔部１８ａを基端側に有する鍔付の略円筒状に形成されている。押し輪１８の内径は、スライド部１７ｂの外径よりも大きく、かつ、係合突部１７ｃの外径よりも小さくなっている。押し輪１８の外径は、係合突部１７ｃの外径よりも大きくなっている。また、押し輪１８の外径は、締め輪６の円環部６ｂの内径およびツメ座７の円環部７ａの内径よりも小さくなっている。押し輪１８は、スライド部１７ｂの外周側に配置され、Ｘ１方向およびＸ２方向へスライド自在となっている。ホース接続部１７ａとスライド部１７ｂとの境界部分には、止め輪１９が配置されており、この止め輪１９によって、差し金具１７からの押し輪１８の抜けが防止されている。
【００３２】
（結合ツメおよびＵパッキンと抜け防止部の内周面との関係）
図４は、図２に示す雌金具２と結合された状態の雄金具３に曲げモーメントＭ１が作用したときの消防用ホース結合金具１の状態を示す縦断面図である。図５は、図４のＦ部の拡大図である。図６は、図４のＧ部の拡大図である。
【００３３】
本形態では、差し金具１７の係合突部１７ｃと結合ツメ８とが係合して雌金具２と雄金具３とが結合されている状態であって、かつ、雌金具２と雄金具３とが互いに離れる方向の力が結合金具１に作用して係合突部１７ｃの基端面１７ｄが結合ツメ８の基端面８ｃに接触している状態で、雌金具２および／または雄金具３に曲げモーメントが作用したときに、結合ツメ８に接触している係合突部１７ｃの影響で結合ツメ８が塑性変形する前に雄金具３の係合突部１７ｃが抜け防止部５ｄの内周面５ｅに接触するように、結合ツメ８、抜け防止部５ｄおよび係合突部１７ｃ等が形成され、配置されている。
【００３４】
たとえば、図４に示すように、雌金具２と雄金具３とが結合されるとともに係合突部１７ｃの基端面１７ｄが結合ツメ８の基端面８ｃに接触している状態で、雄金具３に曲げモーメントＭ１が作用しても、図５に示すように、係合突部１７ｃの基端面１７ｄが結合ツメ８の基端面８ｃに食い込む前に、係合突部１７ｃの外周面が抜け防止部５ｄの内周面５ｅに接触しており、係合突部１７ｃの影響で結合ツメ８が塑性変形する前に係合突部１７ｃが抜け防止部５ｄの内周面５ｅに接触する。
【００３５】
また、本形態では、雌金具２と雄金具３とが結合されている状態で、雌金具２や雄金具３に曲げモーメントが作用して、係合突部１７ｃの外周面が抜け防止部５ｄの内周面５ｅに接触しているときに、円環状に形成されるＵパッキン１１の内周面は、全周に亘って、係合突部１７ｃの外周面に接触している。たとえば、図４に示すように、雌金具２と結合されている状態の雄金具３に曲げモーメントＭ１が作用すると、図４のＧ部において、Ｕパッキン１１から最も遠ざかる方向へ係合突部１７ｃが移動するが、このＧ部においても、係合突部１７ｃの外周面が抜け防止部５ｄの内周面５ｅに接触しているときには、図６に示すように、Ｕパッキン１１の内周面は、係合突部１７ｃの外周面に接触している。
【００３６】
なお、雌金具２と雄金具３とが結合されている状態で結合金具１に水圧がかかると、結合金具１には、雌金具２と雄金具３とが互いに離れる方向の力が作用して、係合突部１７ｃの基端面１７ｄが結合ツメ８の基端面８ｃに接触する。
【００３７】
（消防用ホース結合金具の着脱操作）
以上のように構成された結合金具１では、雌金具２と雄金具３とを結合するときには、押し輪１８をスライド部１７ｂの基端側に退避させた状態で、差し金具１７の係合突部１７ｃに雌金具２を差し込む。すると、ツメ座７の内周面から径方向内側へ突出している結合ツメ８の突出部８ａが係合突部１７ｃの先端に当接し、差し込まれる雌金具２の押圧力で、付勢部材９の付勢力に抗して結合ツメ８は、径方向外方へ押し広げられ、差し金具１７の先端側に雌金具２が差し込まれていく。差し金具１７の係合突部１７ｃが結合ツメ８を越える位置まで雌金具２が差し込まれると、突出部８ａが付勢部材９の付勢力で径方向内側へ戻り、係合突部１７ｃの基端側と突出部８ａの基端側とが係合する。係合突部１７ｃの基端側と突出部８ａの基端側とが係合することで、雌金具２と雄金具３とが結合される。
【００３８】
一方、雌金具２と雄金具３とを切り離すときには、押し輪１８をスライド部１７ｂの先端側へスライドさせる。すると、押し輪１８の先端がツメ座７の内周面から径方向内側へ突出している突出部８ａに当接して、結合ツメ８を径方向外方へ押し広げる。押し輪１８の外径は、係合突部１７ｃの外径よりも大きくなっているため、押し輪１８によって、結合ツメ８が径方向外方へ押し広げられると、係合突部１７ｃと突出部８ａとの係合が外れる。この状態で、雌金具２を雄金具３から引き抜くことで、雌金具２と雄金具３とが切り離される。
【００３９】
（本形態の主な効果）
以上説明したように、本形態では、係合突部１７ｃと結合ツメ８とが係合して雌金具２と雄金具３とが結合されるとともに、係合突部１７ｃの基端面１７ｄが結合ツメ８の基端面８ｃに接触している状態で、雌金具２および／または雄金具３に曲げモーメントが作用したときに、結合ツメ８に接触している係合突部１７ｃの影響で結合ツメ８が塑性変形する前に雄金具３の係合突部１７ｃが抜け防止部５ｄの内周面５ｅに接触するように、結合ツメ８、抜け防止部５ｄおよび係合突部１７ｃ等が形成され、配置されている。すなわち、本形態では、結合状態の雌金具２や雄金具３に曲げモーメントが作用したときに、結合ツメ８が最も塑性変形しやすい状態である係合突部１７ｃの基端面１７ｄが結合ツメ８の基端面８ｃに接触している状態であっても、雌金具２や雄金具３に曲げモーメントが作用したときには、結合ツメ８に接触している係合突部１７ｃの影響で結合ツメ８が塑性変形する前に雄金具３の係合突部１７ｃが抜け防止部５ｄの内周面５ｅに接触する。
【００４０】
そのため、結合ツメ８の強度が確保しにくい小型の結合金具１であっても、雌金具２や雄金具３に作用する比較的大きな曲げモーメントを抜け防止部５ｄの内周面５ｅで受けて、結合ツメ８の塑性変形を防止することができる。したがって、比較的小型の結合金具１において、雌金具２や雄金具３に比較的大きな曲げモーメントが作用しても、ツメ座７の径方向への結合ツメ８の移動に支障が生じるのを防止することが可能になる。その結果、本形態では、比較的小型の結合金具１において、雌金具２や雄金具３に比較的大きな曲げモーメントが作用しても、その後の雄金具３に対する雌金具２の着脱を行うことが可能になる。
【００４１】
本形態では、抜け防止部５ｄの内周面５ｅは、円筒面状に形成されている。そのため、雌金具２や雄金具３に作用する比較的大きな曲げモーメントを、抜け防止部５ｄの内周面５ｅの比較的広い領域で安定して受けることが可能になる。
【００４２】
本形態では、雌金具２と雄金具３とが結合されている状態で、雌金具２および／または雄金具３に曲げモーメントが作用して、係合突部１７ｃの外周面が抜け防止部５ｄの内周面５ｅに接触しているときに、円環状に形成されるＵパッキン１１の内周面は、全周に亘って、係合突部１７ｃの外周面に接触している。そのため、本形態では、雌金具２や雄金具３に比較的大きな曲げモーメントが作用しているときであっても、Ｕパッキン１１によって、結合金具１での水漏れを防止することが可能になる。
【００４３】
（他の実施の形態）
上述した形態では、抜け防止部５ｄの内周面５ｅの内径は略一定となっているが、内周面５ｅの内径は、雌金具２の先端側から基端側に向かってその内径が小さくなっていても良い。すなわち、内周面５ｅは、略円錐台状に形成された傾斜面であっても良い。また、内周面５ｅは、内径が略一定な円筒面と、雌金具２の先端側から基端側に向かってその内径が小さくなる傾斜面とによって構成されても良い。
【符号の説明】
【００４４】
１  結合金具（消防用ホース結合金具）
２  雌金具
３  雄金具
５  受け金具
５ｃ  シール配置部
５ｄ  抜け防止部
５ｅ  内周面
６  締め輪
６ａ  筒部
７  ツメ座
８  結合ツメ
１１  Ｕパッキン（シール部材）
１７ｃ  係合突部（雄金具の先端部）
Ｈ  消防用ホース
【図１】
2013092172.tif 000003
【図２】
2013092172.tif 000004
【図３】
2013092172.tif 000005
【図４】
2013092172.tif 000006
【図５】
2013092172.tif 000007
【図６】
2013092172.tif 000008
【図７】
2013092172.tif 000009
【図８】
2013092172.tif 000010